(57)【特許請求の範囲】
【請求項１】
表示ユニットを、角度可変機構を介して本体ユニットに取り付ける電話機において、前記本体ユニットは、本体ベースと本体カバーとからなるものとし、前記表示ユニットの一端部の両側面に設けられた軸受に嵌め込まれる角度可変機構の軸の一方を前記本体カバーに設け、他方を前記本体ユニットとは別体の軸部品で構成するとともに、前記軸部品はフランジを有するものとし、前記フランジを前記本体カバーにネジ止めしたことを特徴とする電話機。
【請求項２】
前記本体ベースは受けリブを有し、前記受けリブが前記軸部品に当接するようにしたことを特徴とする請求項１に記載の電話機。
【発明の詳細な説明】
【０００１】
【発明の属する技術分野】
本発明は、電話機に関し、特にその表示ユニットの角度可変機構に関する。
【０００２】
【従来の技術】
従来の電話機において、ＬＣＤユニット等の表示ユニットに角度可変機構（チルト機構）を有するものとして、次のようなものがある。
【０００３】
図１０は、このチルト機構を有する従来の電話機の第１の例で、ＬＣＤユニットのチルト機構の軸に金属の軸１０を使用し、この金属の軸１０を電話機の外部より挿入し組み立てられている。
【０００４】
このように、この第１の例のものは、チルト軸として金属の軸１０を使用しているため、強度に関しては十分であるが、高価である。
【０００５】
図１１、図１２は、チルト機構を有する従来の電話機の第２の例で、第１の例のように、軸として高価な別部品を使用せず、ＬＣＤユニット１１側に一対の軸受１２を、本体カバー１４側に一対の軸１５を設けている。軸受１２は一方向にスリッド１３が入っており、また軸１５は長穴形状をしており、軸受１２のスリッド１３を軸１５の細手方向にあわせて挿入し、挿入後ＬＣＤユニット１１を回転させ保持している。この構成は、軸１５が長穴形状となるため軸１５の細手方向の強度が弱く、また軸受１２にスリッド１３が入っているため大きな力でＬＣＤユニット１１を引っ張るとＬＣＤユニット１１が本体カバー１４から抜けてしまう恐れがある。
【０００６】
【発明が解決しようとする課題】
上述のように、従来の電話機で、表示ユニットに角度可変機構を持っているものは、高価なものであり、あるいは強度が弱いものであるという問題点があった。
【０００７】
本発明は、従来のこのような点に鑑み為されたもので、安価で、強度を十分確保することが可能な、表示ユニットに角度可変機構を有する電話機を提供することを目的とする。
【０００８】
【課題を解決するための手段】
請求項１に記載の本発明は、表示ユニットを、角度可変機構を介して本体ユニットに取り付ける電話機において、本体ユニットは、本体ベースと本体カバーとからなるものとし、表示ユニットの一端部の両側面に設けられた軸受に嵌め込まれる角度可変機構の軸の一方を本体カバーに設け、他方を本体ユニットとは別体の軸部品で構成するとともに、軸部品はフランジを有するものとし、フランジを本体カバーにネジ止めしたことを特徴とする。
【０００９】
請求項１に記載の本発明によれば、組み立てが容易で、安価な構成とすることができるとともに、強度を十分確保することができる。
【００１１】
請求項２に記載の本発明は、請求項１に記載の電話機において、本体ベースは受けリブを有し、受けリブが軸部品に当接するようにしたことを特徴とする。
【００１４】
【発明の実施の形態】
以下、図面を参照して本発明の実施形態について詳細に説明する。
【００１５】
図１は、本発明の一実施形態に係る電話機の構成を示す図で、（ａ）は正面図、（ｂ）は側面図である。
【００１６】
同図に示すように、ＬＣＤユニットカバー１とＬＣＤユニットベース２からなるＬＣＤユニットが、本体カバー４と本体ベース８からなる本体ユニットに対して、後述するチルト機構により角度が可変となるように取り付けられている。
【００１７】
図２乃至図７は、この実施形態における主要部であるチルト機構の構成を示す図である。図２はチルト機構の軸部の正面透視図、図３は軸部の横断面図、図４は軸部の一方の縦断面図である。図５は図２に示す軸部の他方を構成する軸部品の部分の拡大図、図６及び図７はそれぞれ図５におけるＡ−Ａの断面、及びＢ−Ｂの断面を示す断面図である。また、図８は、軸部品の構成を示す斜視図である。
【００１８】
図２乃至図４に示すように、ＬＣＤユニットカバー１とＬＣＤユニットベース２からなるＬＣＤユニットの一端部の両側面には円形の凹部からなる軸受３が形成されている。また本体カバー４の、ＬＣＤユニット実装部の一方の側面には軸５が形成されている。
【００１９】
ＬＣＤユニットを本体ユニットに取り付けるには、まずＬＣＤユニットの一方の軸受３に対して、本体カバー４の軸５を斜めに回転させて挿入する（図３参照）。
【００２０】
次に、他方の軸受３に、軸部品６を挿入する。この軸部品６は、例えばモールド等により形成することができ、図８に示すように、基体部６ａの一側面の上部には、軸受３に挿入される軸６ｂが形成されている。基体部６ａの頭部から他側面にかけては、円弧状に曲がっていて、本体カバー４の内側から回転させて実装しやすいように丸みを帯びている。また、基体部６ａの第３の側面の下部にはフランジ６ｃが形成されている。また、基体部６ａの底部には片側に寄った位置に摘み６ｄが形成され、底部の残りの部分は平坦になっている。
【００２１】
軸受３に軸部品６を挿入するに当たっては、本体カバー４の内側から回転させて実装し（図３及び図７参照）、軸部品６のフランジ６ｃをネジ７にて本体カバー４に固定する（図６参照）。
【００２２】
その後、本体ベース８を本体カバー４に取り付けるが、その際本体ベース８より突出した受けリブ９が軸部品６に当たるようになっている（図３及び図７参照）。このように受けリブ９により、軸部品６を支持することにより、軸部品６の回転（軸部品６挿入時の回転とは逆方向の回転）を防止することができる。
【００２３】
この構造では、軸部品６が電話機内部に実装されるため、電話機使用状態にて分解できない。
【００２４】
以上のように、この実施形態においては、ＬＣＤユニットのチルト機構の軸として、本体カバー４側に一方の軸５を設け、もう一方の軸６ｂは別部品（モールド部品）からなる軸部品６を１部品追加することによって構成している。
【００２５】
このような構成としたことにより、次のような効果がある。
（１）組み立てが容易にできる。（軸部品は本体カバー内側から回転させながら組み込む。）
（２）強度を十分確保できる。（軸受にスリッドがない。軸の径が大きくできる。）
（３）安価に構成できる。（モールド１部品とネジ１個追加で構成できる。）
なお、上述の説明では、本体カバー４側に一方の軸５を、そしてこの軸５が嵌め込まれる軸受３をＬＣＤユニット（ＬＣＤユニットベース２）側に設けたが、図９に示すように、ＬＣＤユニット（ＬＣＤユニットベース２）側に一方の軸５´を、そしてこの軸５´が嵌め込まれる軸受３´を本体カバー４側に設けるようにして実施することもでき、この場合も上述の場合と同様の効果を得ることができる。
【００２６】
【発明の効果】
以上説明したように、本発明によれば、安価で、強度を十分確保することが可能な、表示ユニットに角度可変機構を有する電話機を実現することができる。
【図面の簡単な説明】
【図１】  本発明の一実施形態に係る電話機の構成を示す図で、（ａ）は正面図、（ｂ）は側面図。
【図２】  本発明の一実施形態におけるチルト機構の軸部の正面透視図。
【図３】  本発明の一実施形態におけるチルト機構の軸部の横断面図。
【図４】  本発明の一実施形態におけるチルト機構の軸部の一方の縦断面図。
【図５】  図２に示す軸部の他方を構成する軸部品の部分の拡大図。
【図６】  図５におけるＡ−Ａの断面図。
【図７】  図５におけるＢ−Ｂの断面図。
【図８】  本発明の一実施形態における軸部品の構成を示す斜視図。
【図９】  本発明の一実施形態の変形例を示すチルト機構の軸部の横断面図。
【図１０】チルト機構を有する従来の電話機の第１の例を示す分解斜視図。
【図１１】チルト機構を有する従来の電話機の第２例を示す分解斜視図。
【図１２】チルト機構を有する従来の電話機の第２例の分解断面図。
【符号の説明】
１…ＬＣＤユニットカバー
２…ＬＣＤユニットベース
３、３´…軸受
４…本体カバー
５、５´…軸
６…軸部品
６ａ…基体部
６ｂ…軸
６ｃ…フランジ
６ｄ…摘み
７…ネジ
８…本体ベース
９…受けリブ
【図１】
0004421092.tif 000002
【図２】
0004421092.tif 000003
【図３】
0004421092.tif 000004
【図４】
0004421092.tif 000005
【図５】
0004421092.tif 000006
【図６】
0004421092.tif 000007
【図７】
0004421092.tif 000008
【図８】
0004421092.tif 000009
【図９】
0004421092.tif 000010
【図１０】
0004421092.tif 000011
【図１１】
0004421092.tif 000012
【図１２】
0004421092.tif 000013